(57)【要約】    【課題】  ヘッド重心を低くかつソール輪郭線が設ける。    【解決手段】  ゴルフクラブヘッド１であって、ヘッド底面視においてヘッド外周縁を形成するソール輪郭線６で囲まれるソール部４を有する。ソール部４には、重量物２０と、重量物２０を保持するための保持部８とが設けられている。重量物２０は、ヘッド底面側を向く下面２０と、下面２０の第１側部Ｅ１からヘッド上方に延びる第１側面２２とを含む。重量物２０の下面２１は、ヘッド底面で露出しており、重量物２０の第１側面２２は、ソール輪郭線６側で露出している。【選択図】  図２
2020044128.tif 000002
【特許請求の範囲】
【請求項１】
ゴルフクラブヘッドであって、
ヘッド底面視においてヘッド外周縁を形成するソール輪郭線で囲まれるソール部を有し、
前記ソール部には、重量物と、前記重量物を保持するための保持部とが設けられており、
前記重量物は、ヘッド底面側を向く下面と、前記下面の第１側部からヘッド上方に延びる第１側面とを含み、
前記重量物の前記下面は、ヘッド底面で露出しており、
前記重量物の前記第１側面は、前記ソール輪郭線側で露出している、
ゴルフクラブヘッド。
【請求項２】
前記保持部は、前記重量物の前記第１側面よりも前記ソール輪郭線側へ突出しないように構成されている、請求項１記載のゴルフクラブヘッド。
【請求項３】
ヘッド底面視において、前記重量物の前記第１側面は、前記ソール輪郭線から５mm以内に位置している、請求項１又は２に記載のゴルフクラブヘッド。
【請求項４】
前記重量物の前記第１側面は、ヘッド後方側で露出している、請求項１ないし３のいずれかに記載のゴルフクラブヘッド。
【請求項５】
前記重量物の前記第１側面は、ヘッドトウ側又はヘッドヒール側で露出している、請求項１ないし３のいずれかに記載のゴルフクラブヘッド。
【請求項６】
前記重量物は、前記第１側面の両端から前記ソール輪郭線とは離れる向きに延びる２つの第２側面を含み、
前記保持部は、前記各第２側面を前記ソール輪郭線側から保持する受け部を具える、請求項１ないし５のいずれかに記載のゴルフクラブヘッド。
【請求項７】
前記受け部は、第１受け面と、前記第１受け面と向き合う第２受け面とを含み、前記第１受け面と第２受け面の互いの距離は、前記ソール輪郭線に向かうほど小さくなっている、請求項６に記載のゴルフクラブヘッド。
【請求項８】
前記重量物の前記第１側面は、ヘッド後方側を向いており、
前記第１受け面は、ヘッドトウ側に配置されており、かつ、ヘッド後方に向かうほどヘッドヒール側に向かうように形成され、
前記第２受け面は、ヘッドヒール側に配置されており、かつ、ヘッド後方に向かうほどヘッドトウ側に向かうように形成されている、請求項７記載のゴルフクラブヘッド。
【請求項９】
前記重量物は、前記保持部に取り外し自在に固着されている、請求項１ないし８のいずれかに記載のゴルフクラブヘッド。
【請求項１０】
前記重量物は、前記保持部にネジ具を用いて固定されている、請求項９記載のゴルフクラブヘッド。
【請求項１１】
前記ソール部は、ソール本体と、前記ソール本体からヘッド底面側に隆起した隆起部とを含み、
前記保持部は、前記隆起部に設けられている、請求項１ないし１０のいずれかに記載のゴルフクラブヘッド。
【請求項１２】
前記隆起部は、ソール中央側から前記ソール輪郭線側へ向かって隆起高さが大きくなるように延びている、請求項１１に記載のゴルフクラブヘッド。
【発明の詳細な説明】
【技術分野】
【０００１】
本発明は、ゴルフクラブヘッドに関し、詳しくは、ソール部に重量物が設けられたゴルフクラブヘッドに関する。
【背景技術】
【０００２】
打球の飛距離を増大させるために、ゴルフクラブヘッドにおいて、低重心化の要請がある。低重心化は、フェースのスイートスポットをフェースセンター（実打点付近）に近づけるので、打球の打出し角度を大きくかつスピン量を小さくする。したがって、ゴルフクラブヘッドの低重心化は、打球の飛距離の増大をもたらす。
【０００３】
下記特許文献１には、クラウン部と、フェース部と、少なくとも１つの開口を有するソール部と、前記ソール部の開口に取り付けられたウエイト部材とを具えたゴルフクラブヘッドが開示されている。
【先行技術文献】
【特許文献】
【０００４】
【特許文献１】特開２０１６−１０５７９号公報
【発明の概要】
【発明が解決しようとする課題】
【０００５】
近年では、上記の低重心化に加え、ヘッド重心をヘッドトウ側、ヘッドヒール側又はヘッド後方といった様々なヘッド外周縁側（すなわち、ヘッド底面視において、ヘッド外周縁を構成するソール輪郭線側）に設定したいという要請がある。
【０００６】
しかしながら、従来のゴルフクラブヘッドの構成では、このような要請を十分に満足させることができず、さらなる改善の余地があった。
【０００７】
本発明は、以上のような問題点に鑑み案出なされたもので、低重心化を図りながら、ヘッド重心をソール輪郭線側に設けることができるゴルフクラブヘッドを提供することを主たる目的としている。
【課題を解決するための手段】
【０００８】
本発明は、ゴルフクラブヘッドであって、ヘッド底面視においてヘッド外周縁を形成するソール輪郭線で囲まれるソール部を有し、前記ソール部には、重量物と、前記重量物を保持するための保持部とが設けられており、前記重量物は、ヘッド底面側を向く下面と、前記下面の第１側部からヘッド上方に延びる第１側面とを含み、前記重量物の前記下面は、ヘッド底面で露出しており、前記重量物の前記第１側面は、前記ソール輪郭線側で露出している、ゴルフクラブヘッドである。
【０００９】
本発明の他の態様では、前記保持部は、前記重量物の前記第１側面よりも前記ソール輪郭線側へ突出しないように構成することができる。
【００１０】
本発明の他の態様では、ヘッド底面視において、前記重量物の前記第１側面は、前記ソール輪郭線から５mm以内に位置することができる。
【００１１】
本発明の他の態様では、前記重量物の前記第１側面は、ヘッド後方側で露出することができる。
【００１２】
本発明の他の態様では、前記重量物の前記第１側面は、ヘッドトウ側又はヘッドヒール側で露出することができる。
【００１３】
本発明の他の態様では、前記重量物は、前記第１側面の両端から前記ソール輪郭線とは離れる向きに延びる２つの第２側面を含むことができ、前記保持部は、前記各第２側面を前記ソール輪郭線側から保持する受け部を具えることができる。
【００１４】
本発明の他の態様では、前記受け部は、第１受け面と、前記第１受け面と向き合う第２受け面とを含み、前記第１受け面と第２受け面の互いの距離は、前記ソール輪郭線に向かうほど小さく構成されても良い。
【００１５】
本発明の他の態様では、前記重量物の前記第１側面は、ヘッド後方側を向いており、前記第１受け面は、ヘッドトウ側に配置されており、かつ、ヘッド後方に向かうほどヘッドヒール側に向かうように形成され、前記第２受け面は、ヘッドヒール側に配置されており、かつ、ヘッド後方に向かうほどヘッドトウ側に向かうように形成されても良い。
【００１６】
本発明の他の態様では、前記重量物は、前記保持部に取り外し自在に固着されても良い。
【００１７】
本発明の他の態様では、前記重量物は、前記保持部にネジ具を用いて固定されても良い。
【００１８】
本発明の他の態様では、前記ソール部は、ソール本体と、前記ソール本体からヘッド底面側に隆起した隆起部とを含むことができ、前記保持部は、前記隆起部に設けられても良い。
【００１９】
本発明の他の態様では、前記隆起部は、ソール中央側から前記ソール輪郭線側へ向かって隆起高さが大きくなるように延びても良い。
【発明の効果】
【００２０】
本発明のゴルフクラブヘッドでは、ソール部に、保持部と、前記保持部に保持された重量物とが設けられている。前記重量物は、ヘッド底面側を向く下面と、前記下面の第１側部からヘッド上方に延びる第１側面とを含んでおり、前記下面は、ヘッド底面で露出しており、前記第１側面は、前記ソール輪郭線側で露出している。したがって、本発明のゴルフクラブヘッドでは、前記重量物をより低い位置で、ソール輪郭線側に近接させることができ、ひいては、低重心化を図りながら、ヘッド重心をソール輪郭線側の様々な位置に設けることができる。
【図面の簡単な説明】
【００２１】
【図１】本発明のゴルフクラブヘッドの一実施形態を示す斜視図である。
【図２】図１のゴルフクラブヘッドを底面側から見た斜視図である。
【図３】図１のゴルフクラブヘッドの底面図である。
【図４】図２の分解斜視図である。
【図５】図２のＡ−Ａ線の断面斜視図である。
【図６】図２のＡ−Ａ線の断面図である。
【図７】重量物の一例を示す斜視図である。
【図８】（Ａ）及び（Ｂ）は、他の実施形態を示すゴルフクラブヘッドの底面図である。
【図９】図３のＢ−Ｂ線断面図である。
【図１０】保持部の変形例を示す図３のＢ−Ｂ線の位置に相当する断面図である。
【発明を実施するための形態】
【００２２】
以下、本発明の実施の一形態が図面に基づき説明される。以下に詳述される実施形態及び図面に表された具体的な構成は、本発明の内容を理解するためのものであって、本発明は、それらの具体的な構成に限定されるものではない。また、以後の説明では、同一又は共通する要素については同一の符号が付されており、重複する説明が省略される。
【００２３】
図１〜６は、本実施形態のゴルフクラブヘッド（以下、単に、「ヘッド」ということがある。）１の正面斜視図、底面斜視図、底面図、分解斜視図、図２のＡ−Ａ線断面斜視図及び図２のＡ−Ａ線断面図をそれぞれ示している。また、図１〜６は、基準状態とされたヘッド１が描かれている。
【００２４】
［ヘッドの基準状態］
ヘッド１の基準状態とは、ヘッド１が、水平面ＨＰ（図６に示す）に対して、そのロフト角α（図６に示す）及びライ角（図示省略）に保たれた状態である。基準状態では、図３に示されるように、ヘッド１のシャフト軸中心線ＣＬが、任意の垂直面ＶＰ内に配される。垂直面ＶＰに沿った水平な方向ｙが、ヘッド１のトウ・ヒール方向であり、垂直面ＶＰと直交する水平な方向ｘがヘッド前後方向とされる。また、ヘッド１において、フェース側を「前側」や「前方」、その反対側を「後側」や「後方」として、それぞれ慣例的に説明される。また、上記各方向ｘ及びｙに直交する方向ｚが、ヘッド上下方向とされる。特に言及されていない場合、ヘッド１は、基準状態に置かれているものとして理解されなければならない。
【００２５】
［ヘッドの基本構成］
図１〜６において、本実施形態のヘッド１は、内部に中空部ｉ（図５及び６に示す）を有し、例えば、典型的なウッド型として構成される。ウッド型のヘッド１は、ドライバー（＃１）の他、少なくともブラッシー（＃２）、スプーン（＃３）、バフィ（＃４）及びクリーク（＃５）を含む。また、本実施形態のヘッド１は、先に列挙されたものと番手又は名称が異なっていても、略類似した形状を持つヘッドを含む。本発明の他の実施形態では、ヘッド１は、例えば、アイアン型、ユーティリティー型又はパター型として構成されても良い。
【００２６】
本実施形態のヘッド１は、例えば、ヘッド本体１０と、重量物２０とを含む。
【００２７】
ヘッド本体１０は、例えば、フェース部２、クラウン部３及びソール部４を含んでおり、これらにより、ヘッド内部の中空部ｉが画定される。ヘッド本体１０は、例えば、各種の金属材料で構成される。前記金属材料として、例えば、チタン、チタン合金、ステンレス鋼又はアルミニウム合金など種々のものが採用される。ヘッド本体１０は、その一部が繊維強化樹脂などで構成されても良い。
【００２８】
フェース部２の前面は、ボールを打撃するための打撃面であるフェース２ａとして機能する。クラウン部３は、フェース部２に連なってヘッド上面を構成している。  図１及び図２に示されるように、クラウン部３のヒール側には、例えば、ネック部５が設けられても良い。ネック部５は、シャフト（図示省略）が固定可能なように、シャフト差込孔５ａを有する筒状に構成されている。シャフト差込孔５ａの軸中心線は、上記シャフト軸中心線ＣＬに対応している。
【００２９】
［ソール部の構成］
ソール部４は、図３に示されるように、ヘッド底面視において、ヘッド外周縁を形成するソール輪郭線６で囲まれる領域である。なお、ソール輪郭線６には、フェース２ａのリーディングエッジ２ｅは含まない。
【００３０】
ソール部４には、保持部８と、保持部８に保持された前記重量物２０とが設けられている。
【００３１】
重量物２０は、ヘッド本体１０よりも比重が大きい材料からなる。したがって、本実施形態のヘッド１は、重量物２０よって、ソール部４に集中的に大きな重量が配分されるため、低重心化を図ることができる。
【００３２】
重量物２０としては、例えば、高比重の金属材料が望ましい。前記金属材料としては、特に限定されるものではないが、例えば、Ｗを含む合金が望ましく、とりわけ、Ｗ、Ｎｉ及びＦｅを含むタングステン・ニッケル・鉄合金で構成されるのが望ましい。このような合金は、その化学成分中のＷの割合を高めることによって、より高い比重を持つように調整され得る。より好ましい態様では、重量物２０の比重は、７以上、より好ましくは８以上、さらに好ましくは１０〜１５の範囲とされる。
【００３３】
図７は、重量物２０の単体を示す。図７では、図２と同様に、上側がヘッド底面側に対応している。図２、図３及び図７に示されるように、本実施形態の重量物２０は、例えば、六面体状に構成されており、ヘッド底面側を向く下面２１と、下面２１の第１側部Ｅ１からヘッド上方に延びる第１側面２２とを含んでいる。
【００３４】
そして、本実施形態では、重量物２０の下面２１はヘッド底面で露出し、かつ、重量物２０の第１側面２２はソール輪郭線６側で露出している。このようなヘッド１では、重量物２０を、より低い位置で、ソール輪郭線６側に近接させることができる。したがって、ヘッド１は、低重心化を図りながら、ヘッド重心をソール輪郭線６側の位置に設けることができる。
【００３５】
好ましい態様では、重量物２０の第１側面２２は、本実施形態のように、ヘッド後方側で露出させることができる。特に好ましい態様では、図２に示されるように、第１側面２２は、ソール輪郭線６からヘッド下方側に延びるヘッド後方面４Ａの一部を構成するように露出することができる。このようなヘッド１は、ヘッド重心Ｇを深くする（ヘッド重心Ｇがヘッド後方に位置する）ことができ、ひいては、ヘッド１の左右の慣性モーメント（ヘッド重心を通る垂直軸周りの慣性モーメント）を増大させる。これは、打球の方向性を向上させるのに役立つ。また、ヘッド重心Ｇが深いヘッド１では、インパクト直前にシャフトの先端が前方へしなり、インパクト時にフェース２ａが上を向き易くなるため、打球の打ち出し角を大きくして飛距離を増大させることができる。
【００３６】
以上のように構成された本実施形態のヘッド１は、図６に示されるように、水平面ＨＰからのヘッド重心Ｇまでの高さである重心高さＣを、例えば、２８mm以下、より好ましくは２５mm以下と低くすることができる。同様に、本実施形態のヘッド１は、フェース２ａのリーディングエッジ２ｅからのヘッド重心Ｇまでのヘッド前後方向長さである重心深さＤは、例えば、３７mm以上、より好ましくは４０mm以上と大きくすることができる。
【００３７】
他の態様では、図８（Ａ）に示されるように、重量物２０の第１側面２２は、ヘッドトウ側で露出しても良い。この態様では、重量物２０は、より低い位置で、ソール輪郭線６のヘッドトウ側に近接する。したがって、この態様のヘッド１では、ヘッド重心Ｇを低く、かつ、ヘッドトウ側に設けることが可能である。一般に、ゴルフクラブヘッドは、ネック部５の重量が比較的大きい傾向にある。したがって、上記構成により、例えば、ネック部５からヘッド重心Ｇまでの距離を長くして、左右の慣性モーメントを効果的に増大させることができる。
【００３８】
他の態様では、図８（Ｂ）に示されるように、重量物２０の第１側面２２は、ヘッドヒール側で露出しても良い。この態様では、重量物２０は、より低い位置で、ソール輪郭線６のヘッドヒール側に近接する。したがって、この態様のヘッド１では、ヘッド重心Ｇを低く、かつ、ヘッドヒール側に設けることが可能である。このようなヘッド１は、ヘッド重心Ｇがヒール側に寄るため、ダウンスイング時にヘッド１が構えた位置まで返りやすくなり、いわゆる「ボールのつかまり」が向上する。
【００３９】
上記いずれの態様においても、ヘッド重心Ｇをソール輪郭線６側により近づけるために、ヘッド底面視において、重量物２０の第１側面２２は、ソール輪郭線６から５mm以内の範囲に位置しているのが望ましい。具体的には、重量物２０の第１側面２２の少なくとも一部が、ソール輪郭線６から５mm以内にあればよいが、より好ましくは、第１側面２２の全部がソール輪郭線６から５mm以内に位置するのが良い。上記構成の理解を助けるために、図８（Ａ）には、ソール輪郭線６から５mmの距離を隔てる輪郭線６ｉを示す。なお、図３及び図８から明らかなように、重量物２０及び保持部８は、ヘッドを上方から見たときでも、ヘッド外周縁からはみ出さないように設けられている。したがって、本実施形態のヘッド１は、ゴルフ規則に適合する。
【００４０】
次に、図１〜７の態様に基づいて、より詳しい構成が説明される。ただし、以降の説明は、図８（Ａ）及び（Ｂ）などに示される態様についても、同様に適用されるものとして理解されなければならない。
【００４１】
［重量物の構成］
図７に示されるように、本実施形態の重量物２０は、例えば、六面体状で構成されている。すなわち、重量物２０は、下面２１と、第１側面２２と、第１側面２２の両端からソール輪郭線６とは離れる向きに延びる２つの第２側面２３、２４と、下面２１とは反対側に位置する上面２５と、第１側面２２とは反対側に位置する第３側面２６とを含む。好ましい態様では、重量物２０は、下面２１及び上面２５が、台形状とされている。これにより、本実施形態の重量物２０において、２つの第２側面２３、２４の互いの距離Ｆは、ソール輪郭線６に向かうほど小さくなっている。
【００４２】
［保持部の構成］
保持部８は、例えば、図４に示されるように、相対的に凹んだ部分として構成されており、ソール輪郭線６側に設けられた重量物２０を保持するための受け部９を含む。
【００４３】
本実施形態の受け部９は、重量物２０の２つの第２側面２３、２４をソール輪郭線６側から保持することができる。より具体的には、受け部９は、ヘッドトウ側に配置された第１受け面１１と、ヘッドヒール側に配されかつ第１受け面１１に向き合うように配置された第２受け面１２とを含む。これらの第１受け面１１と第２受け面１２との間の空間は、ソール輪郭線６側において開放され、そこから重量物２０の第１側面２２がヘッド後方側に露出する。
【００４４】
第１受け面１１は、重量物２０のトウ側の第２側面２３と当接するもので、この第２側面２３に対応して、ヘッド後方に向かうほどヘッドヒール側に向かうように傾斜して延びている。第２受け面１２は、重量物２０のヒール側の第２側面２４と当接するもので、この第２側面２４に対応して、ヘッド後方に向かうほどヘッドトウ側に向かうように傾斜して延びている。そして、第１受け面１１と第２受け面１２の互いの距離は、重量物２０の第２側面２３、２３間の距離に対応するように、ソール輪郭線６に向かうほど小さくなっている。
【００４５】
以上のように構成された受け部９は、ボール打撃時に重量物２０に与えられるヘッド後方への衝撃が、第１受け面１１と第２受け面１２との双方で受け止められる。本実施形態のヘッド１は、重量物２０の第１側面２２がヘッド１の後方で露出するため、この第１側面２２は、ヘッド後方から直接的に支持することができない。しかし、本実施形態では、重量物２０は、受け部９によって、ヘッド後方側（ソール輪郭線６側）への移動が規制されるので、重量物２０が保持部８から後方へ外れるのを効果的に防止できる。
【００４６】
好ましい態様では、保持部８は、図２及び図６に示されるように、重量物２０の第１側面２２よりもソール輪郭線６側へ突出しないように構成されている。換言すれば、第１受け面１１と第２受け面１２は、第１側面２２をソール輪郭線６側に越えることなく終端している。これにより、ヘッド１のソール輪郭線６側により多くの重量を配分することができる。
【００４７】
図４に示されるように、保持部８は、例えば、第３受け面１３と、第２受け面１４とをさらに含むことができる。
【００４８】
第３受け面１３は、重量物２０の第３側面２６と当接するように設けられている。したがって、第３受け面１３は、重量物２０がソール輪郭線６から離れる向きの移動を規制することができる。第４受け面１４は、重量物２０の上面２５と当接するように設けられている。したがって、第４受け面１４は、重量物２０の上向きの移動を規制することができる。これらの第３受け面１３及び第４受け面１４が設けられた場合、重量物２０の移動やズレ等が、さらに確実に規制される。
【００４９】
図３及び図４に示されるように、好ましい態様では、ソール部４は、ソール本体４１と、ソール本体４１からヘッド底面側に隆起した隆起部４２とを含み、保持部８は、この隆起部４２に設けられる。
【００５０】
ソール本体４１は、例えば、ソール輪郭線６からソール中央側に向かって滑らかに突出するような凸曲面として構成されている。一方、隆起部４２は、このソール本体４１からさらに局部的にヘッド底面側に隆起している。このような隆起部４２に保持部８を設けた場合、保持部８は、よりヘッド底面側に位置することができる。したがって、重量物２０の下面２１は、さらに水平面ＨＰに近接し、さらなる低重心化を図ることができる。
【００５１】
好ましい態様では、隆起部４２は、ソール中央側から前記ソール輪郭線６側へ向かって隆起高さｈが大きくなるように延びている。本実施形態の隆起部４２は、ヘッド後方に向かって隆起高さｈが大きくなっている。このような隆起部４２は、重量物２０をより低い位置かつよりソール輪郭線６側で保持しうる保持部８を提供する。
【００５２】
図９には、図３のＢ−Ｂ線断面図が示されている。図９に示されるように、本実施形態では、隆起部４２に保持部８が設けられている。重量物２０の両側（第２側面２３、２４の両外側）には、例えば、リブ４３が形成されている。このようなリブ４３は、ヘッド本体１０における重量物２０の周辺領域の曲げ剛性等を高め、打球時に、ソール部４の意図しない振動などを抑制することができる。なお、重量物２０の下面２１は、リブ４３のヘッド底面側の面４３ａと滑らかに連続する曲面上に位置するか、それよりもヘッド上方に位置するのが望ましい。これは、スイング時、重量物２０が地面に接触するのを防止するのに役立つ。
【００５３】
［重量物とヘッド本体との接合］
重量物２０と保持部８とは、種々の方法で固着することができる。好ましい態様では、重量物２０は、例えば、保持部８に取り外し自在に固着されている。これにより、例えば、ユーザーは、比重が異なる様々な重量物２０の中から最適なものを装着、交換等しながら利用することで、ヘッド重心Ｇを自ら調節することができる。一例として、重量物２０は、保持部８にネジ具３０を用いて固定されても良い。この場合、例えば、重量物２０には貫通孔２７が、受け部９にはネジ具３０を固定するために係合孔１５がそれぞれ設けられる。
【００５４】
ネジ具３０は、例えば、ヘッド外方から、重量物２０の貫通孔２７を通って係合孔１５に挿入され、図示しない調節工具を用いてその軸線周りで回動される。これにより、ネジ具３０は、係合孔１５と係合し、保持部８の第４受け面１４との間で、重量物２０をしっかりと保持することができる。一般に、重量物２０をソール部４にネジ具３０で固着した場合、ボール打撃毎にその衝撃がネジ具３０に与えられることでネジ具３０が破損し易い。しかし、本実施形態のように、受け部９によって重量物２０がヘッド後方側からも受け止められる場合、ネジ具３０に与えられる衝撃が効果的に低減され、ネジ具３０の破損を長期に亘って抑制することできる。
【００５５】
なお、ネジ具３０には、螺旋ネジ溝を有するいわゆる本来のネジのみならず、回動操作によって、前記係合孔１５に係合及び離脱が可能なものであれば、ほぼ９０度転程度の小さな回動量で係合離脱が可能なワンタッチロック機構等を含むものとする。
【００５６】
図１０には、保持部８の変形例として、図３のＢ−Ｂ線の位置に相当する断面図が示されている。図１０に示されるように、保持部８の周囲かつソール部４の外表面側には、重量物２０を囲むように溝５０が設けられても良い。このような溝５０は、例えば、製造上のやむを得ない公差等の影響により、重量物２０と、保持部８の表面とが完全に面一に連続しないような場合であっても、これらの表面の段差を目立たなくし、外観を向上させるのに役立つ。
【００５７】
他の態様では、重量物２０と保持部８とは、脱着不能に固着されても良い。
【００５８】
以上、本発明の実施形態が詳細に説明されたが、本発明は、上記の具体的な実施形態に限定されるものではなく、種々の態様で実施しうるのは、言うまでもない。
【符号の説明】
【００５９】
１  ゴルフクラブヘッド
４  ソール部
６  ソール輪郭線
８  保持部
９  受け部
１０  ヘッド本体
２０  重量物
２１  下面
２２  第１側面
２３、２４  第２側面
３０  ネジ具
４１  ソール本体
４２  隆起部
Ｅ１  第１側部
【図１】
2020044128.tif 000003
【図２】
2020044128.tif 000004
【図３】
2020044128.tif 000005
【図４】
2020044128.tif 000006
【図５】
2020044128.tif 000007
【図６】
2020044128.tif 000008
【図７】
2020044128.tif 000009
【図８】
2020044128.tif 000010
【図９】
2020044128.tif 000011
【図１０】
2020044128.tif 000012